(57)【要約】【課題】  夜間などの暗い場所でも意匠効果と視認効果を発揮させることができ、発光性能の低下も生じ難いパイピングテープ、及びそれを用いた光装飾品(衣服、バッグ及び装飾品等)を提供すること。【解決手段】  本発明は、編織地から成る帯状部の側縁に沿って玉縁部が設けられたパイピングテープおいて、前記玉縁部を、透明なフィラメント糸を含む編織糸を用いて帯状部と一体に形成された袋組織と、この袋組織の内部に編織糸によって拘束された状態で挿入された側面漏光性の光ファイバーとから構成すると共に、前記光ファイバー表面の４０％以上を、袋組織の透明なフィラメント糸によって被覆することによって上記問題を解決した。【選択図】  図１
2017101351.tif 000002
【特許請求の範囲】
【請求項１】
編織地から成る帯状部の側縁に沿って玉縁部が設けられたパイピングテープおいて、
前記玉縁部が、透明なフィラメント糸を含む編織糸を用いて帯状部と一体に形成された袋組織と、この袋組織の内部に編織糸によって拘束された状態で挿入された側面漏光性の光ファイバーとから成り、更に前記光ファイバー表面の４０％以上が、袋組織の透明なフィラメント糸によって被覆されていることを特徴とするパイピングテープ。
【請求項２】
玉縁部の袋組織が経編地から成り、更に袋組織が前後二針床間を交互に編目形成された２針ダブル鎖組織、または３針以上のダブル鎖組織から形成されて、当該袋組織に挿入された光ファイバーが、表裏の編目間の連結糸に囲まれた状態で拘束されていることを特徴とする請求項１記載のパイピングテープ。
【請求項３】
玉縁部の袋組織を形成する編糸が透明なモノフィラメント糸であることを特徴とする請求項１または２に記載のパイピングテープ。
【請求項４】
玉縁部の袋組織が織物地から成り、更にこの袋組織の少なくとも経糸に透明なモノフィラメント糸が使用されていることを特徴とする請求項１記載のパイピングテープ。
【請求項５】
帯状部の編織糸にマルチフィラメント糸またはスパン糸が使用されていることを特徴とする請求項３または４に記載のパイピングテープ。
【請求項６】
帯状部と玉縁部の連結部分に白色系の糸または光反射性を有する糸が使用されていることを特徴とする請求項１〜５の何れか一つに記載のパイピングテープ。
【請求項７】
請求項１〜６の何れか１つに記載のパイピングテープを基材に固定し、更にテープ外側まで延出させた光ファイバーの端部に光源を接続して構成されていることを特徴とするパイピングテープを用いた光装飾品。
【発明の詳細な説明】
【技術分野】
【０００１】
本発明は、布や皮革の裁端処理や縫い合わせ部の装飾を目的としたパイピングテープ、及びそれを用いた光装飾品に関するものである。
【背景技術】
【０００２】
従来、パイピングテープは裁端の始末として、あるいは縫い合わせ部の装飾を目的として衣類やバッグあるいは装飾品などに多用されている。一般的な裁端の始末方法としては例えば特許文献１ではテープ端部に管状部を設け、管状部に芯材を挿入して縫製することによって芯材がずれることなく裁端始末できる耳付き管状テープが提案されており、同文献の技術は裁端処理作業を容易にし、作業効率向上効果を発揮するが、縫製品の外面への装飾性という点ではあまり重視されたものではない。
【０００３】
また、縫い合わせ部の装飾性を目的としたパイピングテープとしては、例えば特許文献２においては細幅経編地に装飾鎖や金属線などの装飾線条体を挿入したパイピングテープが提案されており、衣服の縫い合わせ部に用いることで縫い目に沿って装飾線条体が配置され意匠効果が得られ、特にスポーツ衣服やバッグ類などに使われている。
【０００４】
しかし、上記の特許文献２で提案されているようなパイピングテープでは、夜間など暗い場所で意匠効果が発揮されないという問題がある。そこで、従来においては、特許文献３に係る技術のようにテープの端縁部に線条の無機ＥＬを用い、無機ＥＬを発光させることで意匠効果と視認効果が得られるパイピングテープの技術も提案されている。
【０００５】
しかしながら、無機ＥＬは湿度や紫外線に弱く、衣服など縫合した場合には洗濯や雨などに対する防水や紫外線カットのため樹脂加工を施せねばならず、樹脂被覆等によって衣服等に必要な可撓性が欠如すると同時に発光効率も低下する問題があった。
【０００６】
一方、従来においては、パイピングテープの製造方法として、装飾線条体の露出度を高めるために玉縁部の袋組織を粗いメッシュ状にしたものも公知となっているが、この技術に関しては、装飾線条体に側面漏光性の光ファイバーを使用した場合に、使用中に光ファイバーが傷付いて発光性能が低下する問題があった。
【先行技術文献】
【特許文献】
【０００７】
【特許文献１】特開平８−３２５８８７号公報
【特許文献２】実開昭５６−０３１５９３号公報
【特許文献３】実登第３１４８５０５号公報
【発明の概要】
【発明が解決しようとする課題】
【０００８】
本発明は、夜間などの暗い場所でも意匠効果と視認効果を発揮させることができ、発光性能の低下も生じ難いパイピングテープ、及びそれを用いた光装飾品(衣服、バッグ及び装飾品等)を提供することにある。
【課題を解決するための手段】
【０００９】
本発明者が上記技術的課題を解決するために採用した手段を、添付図面を参照して説明すれば、次のとおりである。
【００１０】
即ち、本発明は、編織地から成る帯状部の側縁に沿って玉縁部が設けられたパイピングテープおいて、前記玉縁部を、透明なフィラメント糸を含む編織糸を用いて帯状部と一体に形成された袋組織と、この袋組織の内部に編織糸によって拘束された状態で挿入された側面漏光性の光ファイバーとから構成すると共に、前記光ファイバー表面の４０％以上を、袋組織の透明なフィラメント糸によって被覆することによって上記問題を解決した。
【００１１】
また本発明では、上記玉縁部の袋組織を経編地とし、更に袋組織を、前後二針床間を交互に編目形成された２針ダブル鎖組織、または３針以上のダブル鎖組織から形成して、当該袋組織に挿入された光ファイバーを、表裏の編目間の連結糸に囲まれた状態で拘束することによって、光ファイバーの抜けを防止できる。
【００１２】
ちなみに本明細書中において、上記「２針ダブル鎖組織」とは、前後２針床間において、位相が１ウェールずれた前後の針間で交互に編目形成する組織を指し、「３針以上のダブル鎖組織」とは、前後２針床間において、位相が２ウェール以上ずれた前後の針間で交互に編目形成するものを指す。
【００１３】
また本発明では、上記玉縁部の袋組織を経編地とする場合において、袋組織を形成する編糸に透明なモノフィラメント糸を使用することによって、袋組織の光透過性及び光ファイバーの保護効果を向上させることができる。
【００１４】
一方、上記玉縁部の袋組織を織物地とする場合には、袋組織の少なくとも経糸に透明なモノフィラメント糸を使用することによって、袋組織の光透過性及び光ファイバーの保護効果を向上させることができる。
【００１５】
また本発明では、上記袋組織にモノフィラメント糸を使用する場合において、帯状部の編織糸にマルチフィラメント糸またはスパン糸を使用することによって、パイピングテープの縫製を容易に行うことができる。
【００１６】
また更に本発明では、上記帯状部と玉縁部の連結部分に白色系の糸または光反射性を有する糸を使用することによって、光ファイバーから玉縁部の外側に放出される光量を高めることができる。
【００１７】
そして更に、本発明では、上記構成から成るパイピングテープを基材に固定し、更にテープ外側まで延出させた光ファイバーの端部に光源を接続することによって、様々な光装飾品(衣類やバッグ類、その他の装飾品等)を作製することができる。
【発明の効果】
【００１８】
本発明では、細幅編織テープの帯状部と一体に形成した袋組織内に光ファイバーを挿入してパイピングテープを構成したことにより、編織機による連続的な製造が可能となるため、装飾線条体を内側に挟み込んだ状態でシート材を折り畳んで作製する従来のパイピングテープよりも高い生産性で得ることができる。
【００１９】
しかも、本発明では、光ファイバーの４０％以上を袋組織の透明フィラメント糸で被覆(保護)しているので、光ファイバーの露出量を減らすことができ、衣類やバッグなどに装着した場合でも光ファイバーが磨耗したり傷付いたりする心配がなく、発光性能の低下を防ぐことができる。
【００２０】
一方、上記光ファイバー表面を被覆する袋組織の編織糸には、透明なフィラメント糸を使用しているため、光ファイバーの側面漏光が袋組織で遮蔽される問題も生じず、袋組織の外部に光を透過させて充分な発光量を得ることできる。
【００２１】
また、本発明では、上記パイピングテープを基材に固定し、更に光ファイバーをテープ外側まで延出させて光源と接続することによって、衣類やバッグ類等の光装飾が行えるだけでなく、これらの物品に夜間の暗いところでも第三者が視認できる模様を付与して夜間外出時の安全性を高めることができる。
【図面の簡単な説明】
【００２２】
【図１】本発明の具体的なパイピングテープの構造を示す概略斜視図である。
【図２】本発明の実施例１におけるパイピングテープの経編構造を説明するための経編組織図である。
【図３】本発明の実施例１におけるパイピングテープの経編構造を説明するための断面説明図である。
【図４】本発明の実施例２におけるパイピングテープの経編構造を説明するための断面説明図である。
【図５】本発明の実施例３におけるパイピングテープの織物構造を説明するための断面説明図である。
【図６】本発明の実施例４におけるパイピングテープを縫着した衣類を示す概略図である。
【図７】本発明の実施例５におけるパイピングテープを縫着したリュックサックを示す概略図である。
【発明を実施するための形態】
【００２３】
本発明を実施するための形態を、具体的に図示した図面に基づいて、更に詳細に説明すると、次のとおりである。
【００２４】
本発明の好ましい実施態様を図１に基づいて説明する。なお図中、符号１で指示するものは、パイピングテープ１であり、符号２で指示するものは、細幅に編織された帯状部２である。また符号３で指示するものは、その帯状部２のどちらか一方の側縁に沿って形成された玉縁部３であり、符号４で指示するものは、その玉縁部３の袋組織内に長さ方向に挿入された光ファイバー４である。
【００２５】
「パイピングテープの基本構成」
まずパイピングテープ１の基本構成については、経編地または織物地から形成された帯状部２と一体的に二重袋組織で編織して円柱状の玉縁部３を形成すると共に、この玉縁部３の袋組織の内側に光ファイバー４を挿入して、袋組織により光ファイバー４を拘束して構成している。
【００２６】
「パイピングテープの編織組織」
なお、上記パイピングテープ１の帯状部２や玉縁部３の袋組織を形成する編織組織については、糸使い等について特に限定されないが、衣服やバッグ類の生地を合わせて縫い合わせるので、薄肉で柔軟性であること好ましい。また、帯状部２の幅は縫製品の端始末処理の仕方により異なるが、５から１５ｍｍであることが好ましい。
【００２７】
「光ファイバーの露出量」
また、上記パイピングテープ１の玉縁部３に挿入されている光ファイバー４は、外表面積の４０％以上を透明なフィラメント糸で被覆しているため、あまり表面が露出しない状態となっているため、物と接触したりしても擦れても傷付くようなことがなく、発光性能の低下を招くような心配もない。
【００２８】
「玉縁部の袋組織の糸材」
また、上記玉縁部３内の光ファイバー４を覆う袋組織の編織糸には、透明なフィラメント糸を使用しているため、光ファイバー４の側面からの発光が遮蔽される問題も生じない。なお、透明なフィラメント糸とは、艶消しとして用いられている酸化チタンが添加されていないブライトタイプのフィラメント糸を指すが、酸化チタンが少量添加されたセミダルタイプのものも含まれる。
【００２９】
また、上記透明なフィラメント糸は、マルチフィラメント糸でも構わないが、同一繊度の編織糸とした場合に繊維断面の曲率が小さく、また総表面積も小さくなるモノフィラメント糸を使用するのが光透過性の面で一層好ましい。しかも、モノフィラメント糸は、繊維断面積が大きく剛性が高いため、光ファイバーを保護する面でも好ましい。
【００３０】
なお、パイピングテープ１の玉縁部３の袋組織にモノフィラメント糸を用いた際の硬さの軽減、あるいは意匠性を得る目的で、モノフィラメント糸以外の糸を混用しても構わないが、光ファイバー４の外表面積の少なくとも４０％は透明性のフィラメント糸で覆われていることにより、十分な外部への発光が可能となり好ましく、透明性のフィラメント糸が覆う前記割合が４０％以下となると外部への発光や視認効果が十分に得られない問題がある。
【００３１】
「帯状部の糸材」
一方、上記帯状部２の糸材に関しては、モノフィラメント糸を使用するとパイピングテープ１そのものが硬くなって縫製時や衣類の着用時に不都合が生じるので、玉縁部３の袋組織のみにモノフィラメント糸を使用して、帯状部２には、比較的柔軟なマルチフィラメント糸またはスパン糸を使用するのが好ましい。
【００３２】
「玉縁部の断面寸法」
他方また、上記玉縁部３の断面寸法に関しては、直径は３〜１５ｍｍとするのが好ましく、３から９ｍｍとするのがより好ましい。これは直径が１５ｍｍより大きいと衣料などに縫着した際に表面に大きく突出して見た目が悪くなるだけでなく、玉縁部３自体の剛性が高くなって身体の動きが制限を受けるためである。
【００３３】
「光ファイバーの材質」
また上記光ファイバー４に関しては、光ファイバー４の端部から入射した一部の光が光ファイバー４の側面から漏れて発光する側面漏光性を有するものであればよく、コアに対してクラッドの被覆状態や材質の差などにより、光ファイバー４の側面から漏光するものであれば特に限定されるものではない。
【００３４】
また、上記光ファイバー４については、コアおよびクラッドが共に透明性樹脂から成り、かつ、コアの樹脂の屈折率がクラッドの屈折率より僅かに大きいものであれば、入射光がコアとクラッドの境界で一部の光が外部に漏れて側面が発光するため、表面に物理的または化学的な処理を施す必要がない。
【００３５】
また更に、上記光ファイバー４の具体的なコアの樹脂材料としては、例えば透明性に優れたポリメタクリル酸メチル（ＰＭＭＡ）を採用でき、またクラッドの樹脂材料としてはフッ化ビニリデン、あるいはフッ化ビニリデンにテトラフルオロエチレンやヘキサフルオロプロピレンを含む重合体を採用することができる。これにより、品質面で安定した側面漏光性の光ファイバー４を得ることができる。
【００３６】
「その他の光ファイバー」
また上記側面漏光性の光ファイバー４としては、長さ方向において所定の間隔でクラッド部を部分的に傷付け、あるいは除去処理されたものを使用することもでき、その場合にも、光ファイバー４の表面が袋組織で覆われているため発光性能への影響は少なく、また分散させた点状(または線状)の発光により意匠性を高めることができる。しかも、側面を部分発光させることで光源位置から離れた位置での発光量の急激な低下も抑えられる。
【００３７】
「光ファイバーの挿入本数」
玉縁部３内に挿入する光ファイバー４は、衣服等に用いる場合は柔軟性を考慮に入れて１本であることが好ましいが、バッグや装飾品などにおいて柔軟性が必要ないものにおいては発光量を向上させる目的で複数本を束にして挿入することもできる。
【００３８】
「パイピングテープの使用方法」
そして、上記構成から成るパイピングテープ１を光装飾品(衣類やバッグ類等)の基材に縫着し、更に光ファイバー４の端部に光源を接続して光を入射することによって、光ファイバー４の側面から発光させることができるため、衣類やバッグ等の意匠性に向上させることができるだけでなく、衣類やバッグ等に夜間などの暗い場所でも第三者が視認できる警告機能を付与することができる。
【００３９】
『実施例１』
「袋組織が経編地から成るパイピングテープ[1]」
本発明の実施例１を図２及び図３に基づいて以下に説明する。図２はダブルラッセルによる筬別の組織図を示し、筬Ｌ１、Ｌ３は玉縁部３を形成する編組織、筬Ｌ２は光ファイバー４の挿入組織、そして筬Ｌ４、Ｌ５は帯状部２を形成する組織である。そして本実施例では、表１に示す編条件で、帯状部２及び玉縁部３の袋組織が経編地から成るパイピングテープ１を作製した。
【００４０】
【表１】
2017101351.tif 000003
【００４１】
図３は本実施例の幅方向の切断面を示し、符号６(ｆ１、ｆ２、ｆ３、ｆ４)はフロントニードル列で編成された袋組織の表側編目、符号７(ｂ１、ｂ２、ｂ３、ｂ４）はバックニードル列で編成された袋組織の裏側編目で、編目ｆ１とｂ３、ｆ２とｂ４、そしてｆ３とｂ１、ｆ４とｂ２はそれぞれ同じ編糸で繰り返してダブルコード組織で編成されて二重編を形成し、その二重編のほぼ中央部に光ファイバー４が挿入されている。
【００４２】
袋組織する編目６(ｆ１、ｆ２、ｆ３、ｆ４)、７(ｂ１、ｂ２、ｂ３、ｂ４)、は３針ダブル鎖組織の二重編であるから、両編目列を連結するシンカーループ９が光ファイバー４を包み込むように保持し、特に、二重編を形成する編糸の送り出し量を小さくすることでより光ファイバー４を強固に固定すると同時に各編目も光ファイバー４の周りに円形状に集合して、パイピングテープとして見栄えの良い円柱状の玉縁部３を形成する。
【００４３】
なお、二重編の編糸は光ファイバー４の表面を覆っているので、透明性、または半透明性で、繊度が１００〜５００ｄｔｅｘのモノフィラメント糸にすることが好ましく、そうすることで光ファイバー４の発光が遮蔽される悪影響を極力抑えることができる。また、二重編は前述の３針ダブル鎖組織に限定されることなく、シンカーループが斜め方向に連結し合う組織であれば良く、例えば２針ダブル鎖組織であっても４針以上のダブル鎖組織であっても構わない。
【００４４】
また、本実施例では、モノフィラメント糸を比較的に明るいカラーの顔料が練り込まれた糸を使用して、光ファイバー４の無発光時でもカラー効果が発揮され、発光時にはカラー発光が得られるようにした。
【００４５】
図３において、符号８は帯状部２の編目列８を示し、バックニードル列のみで鎖編組織（筬Ｌ４）を成し、３針横振りの挿入糸５(筬Ｌ５)により鎖編間、および玉縁部２との間を連結している。特に帯状部２は縫製内部に縫い込まれるので薄肉で柔軟性に富んでいることが必要であり、編糸としては繊度が５００ｄｔｅｘ以下の細繊度糸で編成することが好ましい。
【００４６】
『実施例２』
「袋組織が経編地から成るパイピングテープ[2]」
本発明の実施例２を図４に基づいて以下に説明する。この実施例２では、玉縁部３の袋組織が経編地から成るパイピングテープ１において、袋組織に複数本の光ファイバー４・４を挿入して構成している(糸材等の基本的条件は実施例１と同様)。また本実施例では、複数本の光ファイバー４・４を異なるシンカーループ９によって個別に保持することにより、各光ファイバー４・４の抜けを抑制している。
【００４７】
また、上記のように袋組織に複数本の光ファイバー４・４を挿入することによって、各光ファイバー４・４を異色の光源によって異なる色に発光させることができるため、玉縁部３の光装飾のバリエーションを多様化することもできる。また更に、上記複数本の光ファイバー４・４を挿入する場合には、各光ファイバー４・４を玉縁部３の幅方向に蛇行させて繰り返し交差させることにより、複雑な意匠効果も得られる。
【００４８】
『実施例３』
「袋組織が織物地から成るパイピングテープ」
次に本発明の実施例３を図５に基づいて以下に説明する。この実施例３では、帯状部２及び玉縁部３の袋組織が織物地から成るパイピングテープ１を作製した。図５は、パイピングテープ１の切断面を示し、光ファイバー４は透明性または半透明性のモノフィラメント糸からなる上経糸１２（ｆ１、ｆ２、ｆ３、ｆ４）と下経糸１３(ｂ１、ｂ２、ｂ３、ｂ４)による袋織の中に挿入されて玉縁部を形成している。そして、普通糸からなる経糸１１とモノファイラメント、または普通糸の緯糸１０により帯状部２を一体的に製織してパイピングテープ１を形成している。
【００４９】
また緯糸１０に関しても、光ファイバー４の発光の遮蔽を極力避けるために、透明性、または半透明性のモノフィラメント糸を使用することが好ましいが、帯状部２の剛性が大きくなって曲線箇所に沿わし難い問題が生じるので、１００ｄｔｅｘ以下の細繊度糸を使用した。また緯糸１０に細繊度の普通糸を使用して玉縁部３の緯糸密度を粗くすれば、光ファイバー４の発光量を向上させることもできる。
【００５０】
また、上記光ファイバー４については、袋組織内に存在させるだけでも特に問題ないが、より強固に固定するためには一部の上経糸と同じ浮き、または下経糸と同じ沈みにして一体的に集合させるよう交錯させることが好ましい。
【００５１】
『実施例４』
「パイピングテープの衣類への使用」
次に本発明の実施例４を図６に基づいて以下に説明する。本実施例では、体操上着２１の袖の外側、脇部、およびズボン２２の外側の縫製ラインにパイピングテープ１を縫着して構成した。そして、テープ外側に延出させた光ファイバーの端部に光源(例えばＬＥＤ光源)を接続して光を入射することで、パイピングテープ１の光ファイバー４の側面を発光させて、夜間などの暗い場所で運動しても視認できるようにした。またこれによって意匠性も向上も図れる。
【００５２】
なお、ＬＥＤ光源や発光させるための電源などについては、普段はポケット、あるいは身体の動きを影響しない箇所に取り外し可能な状態で取り付けておき、洗濯時などにおいては光ファイバー４の端部から取り外す機構としておくことが好ましい。
【００５３】
「パイピングテープのバッグ類への使用」
次に本発明の実施例５を図７に基づいて以下に説明する。本実施例では、リックサック３０の表面の外周部、および表面のポケット外周の縫製ラインにパイピングテープ１を縫着した。これにより、夜間など暗い場所でも後方から視認できる効果が得られる。また、異色の光源を準備して切り替え可能にしておくことで、より一層の意匠効果を発揮させることができる。
【符号の説明】
【００５４】
１  パイピングテープ
２  帯状部
３  玉縁部
４  光ファイバー
５  横振り挿入糸
６  玉縁部のフロントニードル列
７  玉縁部のバックニードル列
８  鎖編目列
９  シンカーループ
１０  緯糸
１１  帯状部の経糸
１２  玉縁部の上経糸
１３  玉縁部の下経糸
２１  体操上着
２２  体操ズボン
３０  リュックサック
【図１】
2017101351.tif 000004
【図２】
2017101351.tif 000005
【図３】
2017101351.tif 000006
【図４】
2017101351.tif 000007
【図５】
2017101351.tif 000008
【図６】
2017101351.tif 000009
【図７】
2017101351.tif 000010